(57)【特許請求の範囲】
【請求項１】
自走可能な下部走行体と、該下部走行体上に旋回可能に設けられた上部旋回体と、該上部旋回体の前側に俯仰動可能に設けられた作業装置とからなり、
前記上部旋回体は、支持構造部材を形成する旋回フレームと、該旋回フレーム上に取付けられ前，後方向の後面部に後窓を備えたキャブと、該キャブ内に設けられオペレータが着座する運転席と、前記キャブ内に調和空気を吹き出すために前記キャブの後面部に沿って立上った空調ダクトとにより構成してなる旋回式建設機械において、
前記キャブの後窓は、キャブ内で空気を流通させるために開閉可能に形成し、
前記空調ダクトには、開いた状態の前記後窓からキャブ内に浸入する雨水が当該空調ダクトに沿って流下するように雨水を案内する雨水案内部材を設け、
前記雨水案内部材は、前記空調ダクトの周囲から外向きに突出した樋状体として形成し、この樋状体を前記後窓と隣接している前記空調ダクトの後側位置から前側位置まで延設する構成としたことを特徴とする旋回式建設機械。
【請求項２】
自走可能な下部走行体と、該下部走行体上に旋回可能に設けられた上部旋回体と、該上部旋回体の前側に俯仰動可能に設けられた作業装置とからなり、
前記上部旋回体は、支持構造部材を形成する旋回フレームと、該旋回フレーム上に取付けられ前，後方向の後面部に後窓を備えたキャブと、該キャブ内に設けられオペレータが着座する運転席と、前記キャブ内に調和空気を吹き出すために前記キャブの後面部に沿って立上った空調ダクトとにより構成してなる旋回式建設機械において、
前記キャブの後窓は、キャブ内で空気を流通させるために開閉可能に形成し、
前記空調ダクトには、開いた状態の前記後窓からキャブ内に浸入する雨水が当該空調ダクトに沿って流下するように雨水を案内する雨水案内部材を設け、
前記キャブの後面部には、前記後窓の下側部位から前記雨水案内部材に向けて雨水を導く導水板を設ける構成としたことを特徴とする旋回式建設機械。
【請求項３】
前記空調ダクトは、前記キャブの後面部に沿って上，下方向に延びた縦向きダクト部と、該縦向きダクト部の上部から前記後窓の下側近傍位置を左，右方向に延びた横向きダクト部と、該横向きダクト部の上面に設けられた吹出口とにより構成し、
前記雨水案内部材は、前記横向きダクト部に設けることにより、前記後窓からキャブ内に浸入する雨水を、前記横向きダクト部から縦向きダクト部に案内する構成としてなる請求項１または２に記載の旋回式建設機械。
【請求項４】
前記雨水案内部材は、前記吹出口を取囲んだ状態で前記横向きダクト部の周囲に配置し、前記後窓から前記横向きダクト部に向けて浸入する雨水を前記縦向きダクト部に流下させる構成としてなる請求項３に記載の旋回式建設機械。
【発明の詳細な説明】
【技術分野】
【０００１】
本発明は、キャブ内に空調ダクトや各種の電気部品を備えた油圧ショベル等の旋回式建設機械に関する。
【背景技術】
【０００２】
一般に、旋回式建設機械の代表例である油圧ショベルは、自走可能な下部走行体と、該下部走行体上に旋回可能に設けられた上部旋回体と、該上部旋回体の前側に俯仰動可能に設けられた作業装置とによって構成されている。
【０００３】
上部旋回体は、支持構造部材を形成する旋回フレームと、該旋回フレーム上に取付けられたキャブと、該キャブ内に設けられオペレータが着座する運転席とを備えている。油圧ショベルでは、多くの電気機器、各種センサ、スイッチ類を使用しており、キャブ内には、これらを制御するためのコントローラを含む各種の電気部品が設けられている。この電気部品は、運転席とキャブの後面部との間の空間を利用し、キャブの後面部に取付けられている（例えば、特許文献１参照）。
【先行技術文献】
【特許文献】
【０００４】
【特許文献１】特開２００３−２００８６２号公報
【発明の概要】
【発明が解決しようとする課題】
【０００５】
従来技術の油圧ショベルには、広い視界を得るためにキャブの前面部、後面部、左面部、右面部にそれぞれ窓が設けられている。これらの窓のうち、後面部に設けられた後窓は、キャブ内で外気を流通させることができるように開閉機能を有している。この場合、後窓を開くことにより、後窓を通してキャブ内に外気を取り入れることができる。しかし、後窓を開いた状態で、急に雨が降り出したり、誤って水をかけてしまった場合には、開いた後窓からキャブ内に雨水が浸入してしまう。このときに、後窓から浸入した雨水は、キャブの後面部を伝って下側に流れることになる。
【０００６】
ここで、特許文献１によるものでは、キャブの後面部にコントローラ等の電気部品を配置している。このために、雨水がキャブの後面部に沿って流れ落ちると、後面部に設けられた電気部品が被水し、損傷する虞がある。この場合の対処方法としては、電気部品を液密状態で覆うカバーを設けることが考えられる。しかし、雨水が浸入しないようにカバーの密閉性を高めるためには、カバーの剛性、シール性を高める必要があり、製造コストが嵩んでしまうという問題がある。
【０００７】
本発明は上述した従来技術の問題に鑑みなされたもので、本発明の目的は、キャブの後窓から雨水が浸入した場合でも、キャブの後面部に設けられる電気部品等を簡単な構成で雨水から保護できるようにした旋回式建設機械を提供することにある。
【課題を解決するための手段】
【０００８】
本発明による旋回式建設機械は、自走可能な下部走行体と、該下部走行体上に旋回可能に設けられた上部旋回体と、該上部旋回体の前側に俯仰動可能に設けられた作業装置とからなり、前記上部旋回体は、支持構造部材を形成する旋回フレームと、該旋回フレーム上に取付けられ前，後方向の後面部に後窓を備えたキャブと、該キャブ内に設けられオペレータが着座する運転席と、前記キャブ内に調和空気を吹き出すために前記キャブの後面部に沿って立上った空調ダクトとにより構成している。
【０００９】
上述した課題を解決するために、請求項１の発明が採用する構成の特徴は、前記キャブの後窓は、キャブ内で空気を流通させるために開閉可能に形成し、前記空調ダクトには、開いた状態の前記後窓からキャブ内に浸入する雨水が当該空調ダクトに沿って流下するように雨水を案内する雨水案内部材を設け、前記雨水案内部材は、前記空調ダクトの周囲から外向きに突出した樋状体として形成し、この樋状体を前記後窓と隣接している前記空調ダクトの後側位置から前側位置まで延設する構成としたことにある。
【００１０】
請求項２の発明が採用する構成の特徴は、前記キャブの後窓は、キャブ内で空気を流通させるために開閉可能に形成し、前記空調ダクトには、開いた状態の前記後窓からキャブ内に浸入する雨水が当該空調ダクトに沿って流下するように雨水を案内する雨水案内部材を設け、前記キャブの後面部には、前記後窓の下側部位から前記雨水案内部材に向けて雨水を導く導水板を設ける構成としたことにある。
【００１１】
請求項３の発明は、前記空調ダクトは、前記キャブの後面部に沿って上，下方向に延びた縦向きダクト部と、該縦向きダクト部の上部から前記後窓の下側近傍位置を左，右方向に延びた横向きダクト部と、該横向きダクト部の上面に設けられた吹出口とにより構成し、前記雨水案内部材は、前記横向きダクト部に設けることにより、前記後窓からキャブ内に浸入する雨水を、前記横向きダクト部から縦向きダクト部に案内する構成としたことにある。
【００１２】
請求項４の発明は、前記雨水案内部材は、前記吹出口を取囲んだ状態で前記横向きダクト部の周囲に配置し、前記後窓から前記横向きダクト部に向けて浸入する雨水を前記縦向きダクト部に流下させる構成としたことにある。
【発明の効果】
【００１４】
請求項１の発明によれば、キャブの後窓を開くことにより、キャブ内で空気を流通させることができ、キャブ内の作業環境を良好にすることができる。一方、後窓を開いた状態で、急に雨が降り出したり、誤って水をかけてしまった場合には、開いた後窓からキャブ内に雨水が浸入してしまう。これに対し、空調ダクトには、開いた状態の後窓からキャブ内に浸入する雨水が当該空調ダクトに沿って流下するように雨水を案内する雨水案内部材を設ける構成としている。しかも、後窓から浸入した雨水が樋状体として形成された雨水案内部材に達すると、この雨水案内部材は、雨水を樋状体に沿って空調ダクトの周囲で流通させる。このときに、雨水案内部材は、後窓と隣接している空調ダクトの後側位置から前側位置まで延設されているから、後窓から浸入した雨水を空調ダクトの前側まで案内することができる。
【００１５】
従って、後窓から浸入する雨水は、雨水案内部材によって案内されることにより、空調ダクトに沿って流れ落ちて外部に排出される。これにより、例えばキャブの後面部に雨水に脆弱な部品、例えば電気部品を取付けた場合でも、後窓から浸入する雨水が電気部品に掛かるような事態を未然に防ぐことができる。
【００１６】
この結果、電気部品等のように雨水を避ける必要がある部品をキャブの後面部に取付けた場合でも、密閉性の高い高価なカバーを用いることなく、空調ダクトに雨水案内部材を設けるだけの簡単な構成で、電気部品を雨水から保護することができる。これにより、旋回式建設機械に対する信頼性を高めることができる。
【００１７】
一方、請求項２の発明によれば、キャブの後面部には導水板を設けているから、この導水板は、キャブの後窓から浸入した雨水を、後窓の下側部位から雨水案内部材に向けて導くことができる。これにより、雨水を周囲に漏らすことなく、雨水案内部材に導くことができる。
【００１８】
請求項３の発明によれば、横向きダクト部に設けられた雨水案内部材は、後窓から浸入した雨水を横向きダクト部から縦向きダクト部に案内することができる。これにより、縦向きダクト部に案内された雨水は、この縦向きダクト部に沿って流下させることができ、キャブの外部に排出させることができる。
【００１９】
請求項４の発明によれば、雨水案内部材は、吹出口を取囲んだ状態で横向きダクト部の周囲に配置しているから、後窓から横向きダクト部に向けて浸入する雨水は、縦向きダクト部に流下させることができる。これにより、後窓から浸入した雨水を、専用の経路で外部に排出することができる。
【図面の簡単な説明】
【００２１】
【図１】本発明の第１の実施の形態に適用される油圧ショベルを示す正面図である。
【図２】図１中のキャブを拡大して左前側から示す斜視図である。
【図３】図１中のキャブを拡大して左後側から示す斜視図である。
【図４】運転席を省略したキャブを図２中の矢示IV−IV方向から見た断面斜視図である。
【図５】運転席とダクトカバーを省略したキャブを図４と同様位置から見た断面斜視図である。
【図６】運転席とダクトカバーと後空調ダクトを省略したキャブを図４と同様位置から見た断面斜視図である。
【図７】後窓から浸入した雨水の流通経路を図４中の矢示VII−VII方向から見た拡大断面図である。
【図８】雨水案内部材が取付けられた後空調ダクトを左前側から拡大して見た斜視図である。
【図９】雨水案内部材が取付けられた後空調ダクトを右後側から拡大して見た斜視図である。
【図１０】本発明の第２の実施の形態による雨水案内部材を備えた後空調ダクトを左前側から拡大して見た斜視図である。
【発明を実施するための形態】
【００２２】
以下、本発明の実施の形態に係る旋回式建設機械として、クローラ式の油圧ショベルを例に挙げ、添付図面に従って詳細に説明する。
【００２３】
図１ないし図９は本発明の第１の実施の形態を示している。図１において、１は土砂の掘削作業等に用いられる旋回式建設機械としての油圧ショベルである。この油圧ショベル１は、自走可能なクローラ式の下部走行体２と、該下部走行体２上に旋回可能に設けられた上部旋回体３と、該上部旋回体３の前側に俯仰動可能に設けられた作業装置４とにより構成されている。
【００２４】
上部旋回体３は、支持構造部材を形成する旋回フレーム５と、該旋回フレーム５の左前側に搭載された後述のキャブ８と、該キャブ８の後側に位置して旋回フレーム５に搭載されたエンジン、油圧ポンプ、制御弁等（いずれも図示せず）を覆う建屋カバー６と、前記旋回フレーム５の後部に取付けられたカウンタウエイト７とを含んで構成されている。
【００２５】
ここで、第１の実施の形態の要部となるキャブ８の構成について述べる。
【００２６】
８は旋回フレーム５の左前側に搭載されたキャブである。このキャブ８内には、オペレータが搭乗して各種操作を行う居住空間が画成されている。キャブ８は、図２ないし図４に示す如く、後述するフロア部材９とキャブボックス１０とにより構成されている。
【００２７】
９はキャブ８の床面を構成するフロア部材で（図２、図４参照）、該フロア部材９は、前，後方向に長尺な長方形状の板体として形成されている。フロア部材９は、その四隅を含む複数箇所が防振マウント（図示せず）を介して旋回フレーム５に支持されている。一方、フロア部材９のほぼ中央位置には、上，下方向に扁平なボックス形状をした運転席取付台９Ａが設けられ、該運転席取付台９Ａ上には後述の運転席１６が設けられている。ここで、運転席取付台９Ａ内は空洞となっており、その内部は、後述する空調装置の室内機２０を収容するために利用されている。
【００２８】
さらに、フロア部材９のうち、例えば運転席取付台９Ａよりも後側位置には、各種の油圧ホース、ハーネス等を通すための複数個の貫通孔（いずれも図示せず）が設けられている。これらの貫通孔は、キャブ８の内部と外部とを連通するもので、その一部の貫通孔は、後述する後空調ダクト２１を伝って流れ落ちる雨水の排出口として使用されている。
【００２９】
１０はフロア部材９と共にキャブ８を構成するキャブボックスである。このキャブボックス１０は、フロア部材９上に居住空間を画成するものである。キャブボックス１０は、前面部１１、後面部１２、左面部１３、右面部１４および天面部１５によりボックス状に形成され、周面となる前面部１１、後面部１２、左面部１３、右面部１４の下部がフロア部材９の周囲に取付けられている。
【００３０】
前面部１１は、オペレータに広い前方視界を与えるための上前窓１１Ａと下前窓１１Ｂを有している。例えば、上前窓１１Ａは、天面部１５に向けて上側に移動させることにより、天面部１５の下側に格納することができる。一方、下前窓１１Ｂは、前面部１１から取外すことができる。これにより、前面部１１は、上前窓１１Ａを格納し、下前窓１１Ｂを取外すことにより、大きく開口することができる。
【００３１】
後面部１２は、フロア部材９の後端位置から上側に延びた下縦板１２Ａと、該下縦板１２Ａの上部から後側に延びた横板１２Ｂと、該横板１２Ｂの後部から天面部１５まで上側に延びた上縦板１２Ｃとによりステップ状に形成されている。
【００３２】
上縦板１２Ｃは、上，下方向の中間部から上部までの範囲が後窓１２Ｄとなっている。この後窓１２Ｄは、窓枠１２Ｄ１内に前，後方向で重なるように配置された左，右のガラス板１２Ｄ２，１２Ｄ３により構成されている。この左，右のガラス板１２Ｄ２，１２Ｄ３のうち、例えば右側のガラス板１２Ｄ３は固定され、左側のガラス板１２Ｄ２は、窓枠１２Ｄ１に沿って左，右方向に移動することができる。これにより、左側のガラス板１２Ｄ２を右側に移動させることにより、後窓１２Ｄを開くことができる。
【００３３】
後面部１２には、後窓１２Ｄの下側部位から後述の雨水案内部材２６に向けて雨水を導くための導水板１２Ｅが設けられている。この導水板１２Ｅは、後述するカバー部材２７の後側を支持するカバー支持部材を兼ねている。導水板１２Ｅは、左，右方向に長尺な板体を前側が１段低くなるようにクランク状に折り曲げることにより形成されている。この、導水板１２Ｅは、例えば、後端部が後窓１２Ｄの窓枠１２Ｄ１に取付けられている。
【００３４】
これにより、導水板１２Ｅは、周囲に漏らすことなく、後面部１２の後窓１２Ｄから浸入した雨水を、後窓１２Ｄの下側部位から段差形状に沿って雨水案内部材２６に向けて導くことができる。
【００３５】
後面部１２の上縦板１２Ｃには、後窓１２Ｄの下側近傍に位置してブラケット１２Ｆが設けられている。このブラケット１２Ｆは、左，右方向に長尺な板体をＬ字状に折り曲げて形成することにより、後側から前側に向け下側に傾斜した取付面を有している。
【００３６】
さらに、後面部１２には、長方形状の板体からなる電気部品取付板１２Ｇが設けられている。この電気部品取付板１２Ｇは、後述の電気部品１９が取付けられるもので、後側から前側に向け下側に傾斜した状態で配置されている。電気部品取付板１２Ｇは、その上側部位（後側部位）がブラケット１２Ｆの取付面に取付けられ、下側部位（前側部位）が横板１２Ｂの前端部に取付けられている。
【００３７】
左面部１３は、前，後方向の中間部から後側寄りに左窓１３Ａを有し、中間部から前側がキャブ８にオペレータが乗り降りするための乗降口１３Ｂとなって開口している。左面部１３には、乗降口１３Ｂを開閉するためのドア１３Ｃが回動可能に取付けられている。
【００３８】
右面部１４には、上，下方向の中間部から上側の広い範囲に右窓１４Ａが設けられている。さらに、天面部１５には、作業装置４を高くした状態での作業を見るための天窓１５Ａが設けられている。
【００３９】
１６はフロア部材９の運転席取付台９Ａ上に設けられた運転席である。この運転席１６はオペレータが着座するものである。運転席１６の左，右両側には、作業装置４等を操作する左，右の作業レバー１７が設けられている。一方、運転席１６の前側となるフロア部材９の前側位置には、下部走行体２を走行させるための左，右の走行レバー・ペダル１８が設けられている。
【００４０】
１９はキャブ８の後面部１２に設けられた複数個、例えば２個の電気部品を示し、該各電気部品１９は、電気部品取付板１２Ｇに取付けられている。この２個の電気部品１９の代表例としては、油圧ショベル１に搭載された電気機器、各種センサ、スイッチ類を制御するためのコントローラ、ネットワークを利用して油圧ショベル１の情報（稼働時間、メンテナンス情報、位置情報等）を伝えるための通信端末が挙げられる。これらの電気部品１９は、多くの電子部品によって形成されているから、雨水の接触（被水）を避ける必要がある。
【００４１】
２０はフロア部材９の運転席取付台９Ａ内に収容された空調装置の室内機である（図４中に点線で図示）。この室内機２０は、所望の温度に調整した冷風または温風を調和空気としてキャブ８内の居住空間に吹き出すことにより、キャブ８内をオペレータが望む温度環境に調整するものである。室内機２０は、箱体状に形成されたハウジング２０Ａ内に送風ファン、エバポレータ、ヒータコア、送風方向切換板（いずれも図示せず）を有し、エンジン側に設けられるコンデンサ、コンプレッサ等からなる室外機（図示せず）と接続されている。室内機２０は、内気流入口２０Ｂと外気流入口２０Ｃとを有し、これらの流入口２０Ｂ，２０Ｃから吸込んだ空気を、所望の調和空気に調整し、前空調ダクト（図示せず）と後述の後空調ダクト２１とからキャブ８内に供給するものである。
【００４２】
２１はキャブ８内に調和空気を吹き出すための後空調ダクトである。この後空調ダクト２１は、運転席１６とキャブ８の後面部１２との間に位置して該後面部１２に沿って立上るように設けられている。後空調ダクト２１は、図５、図８に示すように、後面部１２の右側に位置して下縦板１２Ａに沿って上，下方向に延びた縦向きダクト部２２と、該縦向きダクト部２２の上部から後窓１２Ｄの下側近傍位置を左，右方向に延びた横向きダクト部２３と、該横向きダクト部２３の上板２３Ｅに設けられた複数個、例えば３個の吹出口２４，２５とにより構成されている。縦向きダクト部２２の上部と横向きダクト部２３とは、各電気部品１９の前側を間隔をもって覆う位置に配置されている。
【００４３】
縦向きダクト部２２は、図８、図９に示すように、上，下方向に延びる筒状体、例えば、前板２２Ａ、後板２２Ｂ、左板２２Ｃおよび右板２２Ｄからなる断面四角形状の角筒体として形成されている。この場合、縦向きダクト部２２は、断面四角形状の角筒体以外にも、円筒体、楕円筒体、その他異形筒体として形成することもできる。即ち、縦向きダクト部２２は、周囲の機器、構造物との配置関係で形成される空間に応じて適宜に形状が設定されている。
【００４４】
ここで、縦向きダクト部２２は、その下側がフロア部材９の近傍で室内機２０の流出側に接続されている。従って、縦向きダクト部２２の前板２２Ａに案内された雨水は、この縦向きダクト部２２の周囲を伝って流下し、フロア部材９の貫通孔から外部に排出されることになる。これにより、縦向きダクト部２２の前板２２Ａまで案内された雨水は、各電気部品１９に掛かることなく、外部に排出される。
【００４５】
横向きダクト部２３は、縦向きダクト部２２の上部から左，右方向の左側に延びた中空体として形成されている。横向きダクト部２３は、例えば、縦向きダクト部２２の前板２２Ａと連続するように斜めに形成された前板２３Ａと、該前板２３Ａと吹出口２４，２５を挟んで前，後方向の反対側、即ち、後窓１２Ｄと隣接する後側に配置された後板２３Ｂと、左，右方向の両端部に設けられ、前記前板２３Ａと後板２３Ｂとの間を接続する左，右の湾曲板２３Ｃ，２３Ｄと、前記各板２３Ａ〜２３Ｄに囲まれた上面をなす上板２３Ｅとにより構成されている。
【００４６】
吹出口２４は、横向きダクト部２３の左，右方向の両端部に位置して上板２３Ｅから上向きに延びた円筒体として形成されている。この左，右の吹出口２４は、調和空気を上向きに吹き出すことにより、キャブ８内の全体に調和空気を供給するものである。一方、吹出口２５は、左，右の吹出口２４間に位置し、上板２３Ｅに開口して設けられている。この吹出口２５は、例えば後面部１２の後窓１２Ｄに向けて調和空気を吹き付けることにより、ガラス板１２Ｄ２，１２Ｄ３の曇りを取るものである。
【００４７】
なお、後空調ダクト２１は、空調装置の室内機２０から供給される調和空気をキャブ８内に吹き出すために設けられている。しかし、油圧ショベル１には、空調装置が設けられていないものがある。一方で、油圧ショベル１の納品後に、顧客の要望によって空調装置を取付ける場合がある。そこで、空調装置が設けられていない油圧ショベル１でも、取付に手間を要する後空調ダクト２１は、キャブ８内に予め取付ける構成としている。
【００４８】
次に、本発明の要部として後空調ダクト２１に設けられた雨水案内部材２６の構成について述べる。
【００４９】
２６は後空調ダクト２１の横向きダクト部２３に設けられた雨水案内部材を示している。この雨水案内部材２６は、開いた状態の後面部１２の後窓１２Ｄからキャブ８内に浸入する雨水が後空調ダクト２１に沿って流下するように雨水を案内するものである。雨水案内部材２６は、例えば後空調ダクト２１と別部材からなる柔軟性をもった樹脂材料、例えばウレタン樹脂材料、ゴム材料等を用いて長尺な角棒状に形成されている。この場合、角棒状の雨水案内部材２６には、後空調ダクト２１の横向きダクト部２３に取付けたときに、内側となる位置の上側のほぼ全長に亘って凹溝状の案内水路２６Ａが形成されている。この案内水路２６Ａは、雨水を雨水案内部材２６の長さ方向に案内するものであるから、凹溝状に限らず、凹円弧状、Ｖ字状、傾斜面状等の他の形状とすることもできる。
【００５０】
雨水案内部材２６は、案内水路２６Ａが設けられた側の端面が横向きダクト部２３の周囲に対し、例えば接着剤、両面テープ等を用いて一体的に固着されている。従って、雨水案内部材２６は、横向きダクト部２３の周囲から外向きに突出した樋状体として形成され、この樋状体が後窓１２Ｄと隣接している横向きダクト部２３の後板２３Ｂから前板２３Ａまで延設されている。これにより、雨水案内部材２６は、左側の吹出口２４を取囲んだ状態で横向きダクト部２３の周囲に配置されており、後窓１２Ｄから横向きダクト部２３に向けて浸入する雨水を縦向きダクト部２２に流下させることができる。
【００５１】
雨水案内部材２６は、横向きダクト部２３の後板２３Ｂに沿って左，右方向に延びた後案内部２６Ｂと、該後案内部２６Ｂの左端から左湾曲板２３Ｃを回り込んで前側に延びた円弧状案内部２６Ｃと、該円弧状案内部２６Ｃから前板２３Ａ上を左，右方向の右側、即ち、縦向きダクト部２２に向けて延びた前案内部２６Ｄとにより構成されている。ここで、各案内部２６Ｂ〜２６Ｄは、案内水路２６Ａに入り込んだ雨水が、図８、図９中に矢示で示す方向に流れるように、高低差をもって配置されている。
【００５２】
このように構成された雨水案内部材２６は、図７に示すように、後面部１２の後窓１２Ｄから雨水が流入し、導水板１２Ｅに沿って流れてくると、この雨水を後案内部２６Ｂで案内水路２６Ａに流入させる。これにより、雨水案内部材２６は、後案内部２６Ｂ、円弧状案内部２６Ｃ、前案内部２６Ｄで順次雨水を流通させることにより、雨水を周囲にこぼすことなく、前案内部２６Ｄから横向きダクト部２３の前板２３Ａ上に流出させることができる。
【００５３】
２７はキャブ８内に位置して後面部１２の前側に設けられたカバー部材である。このカバー部材２７は、各電気部品１９、後空調ダクト２１を覆い隠すための化粧カバーを構成している。カバー部材２７は、下側が後面部１２の下縦板１２Ａ等にボルト止めされ、上側（後側）が導水板１２Ｅ、ブラケット１２Ｆ等にボルト止めされている。
【００５４】
第１の実施の形態による油圧ショベル１は上述の如き構成を有するもので、次に、その動作について説明する。
【００５５】
まず、オペレータは、キャブ８に搭乗し、左，右の走行レバー・ペダル１８を操作することにより、下部走行体２を前進または後退させることができる。一方、キャブ８内のオペレータは、左，右の作業レバー１７を操作することにより、作業装置４を俯仰動させて土砂の掘削作業等を行うことができる。
【００５６】
上述した作業時には、例えばキャブ８内の換気を行うために、後面部１２の後窓１２Ｄを開いて作業を行う場合がある。一方、前述した空調装置が設けられていない油圧ショベル１では、キャブ８内の温度を下げるために後窓１２Ｄを開いて作業を行う場合がある。このように、後窓１２Ｄを開いて作業を行っているときに、急に雨が降り出すと、開いた後窓１２Ｄからキャブ８内に雨水が流入してしまう。また、油圧ショベル１を洗浄するときに、後窓１２Ｄを開いたまま、誤って水をかけてしまった場合にも、開いた後窓１２Ｄからキャブ８内に水が流入してしまう。
【００５７】
このときに、後窓１２Ｄからキャブ８内に浸入した雨水が、キャブ８の後面部１２を伝って下側に流れると、後窓１２Ｄの下側に位置して後面部１２に取付けられた電気部品１９が被水して損傷する虞がある。
【００５８】
然るに、第１の実施の形態によれば、後空調ダクト２１の横向きダクト部２３には、雨水案内部材２６を設けている。従って、開いた状態の後窓１２Ｄからキャブ８内に浸入する雨水は、図７に示すように、導水板１２Ｅに沿って前側に流れ、横向きダクト部２３の後板２３Ｂに沿って流れ落ちることにより、後案内部２６Ｂの位置で案内水路２６Ａに流入する。これにより、雨水案内部材２６は、横向きダクト部２３を左側から回り込むように、後案内部２６Ｂ、円弧状案内部２６Ｃ、前案内部２６Ｄで順次雨水を流通させることができ、雨水を周囲にこぼすことなく、前案内部２６Ｄから横向きダクト部２３の前板２３Ａ上に流出させることができる。このように、雨水案内部材２６によって案内されて横向きダクト部２３の前板２３Ａ上に流出した雨水は、縦向きダクト部２２を流下してフロア部材９に設けた貫通孔からキャブ８の外部に排出することができる。
【００５９】
かくして、第１の実施の形態によれば、後窓１２Ｄからキャブ８内に浸入する雨水は、後空調ダクト２１に設けた雨水案内部材２６により該後空調ダクト２１に沿ってキャブ８の外部に排出させることができる。これにより、後面部１２に雨水に脆弱な電気部品１９を取付けた場合でも、後窓１２Ｄから浸入する雨水が電気部品１９に掛かるような事態を未然に防ぐことができる。
【００６０】
この結果、電気部品１９をキャブ８の後面部１２に取付けた場合でも、密閉性の高い高価なカバーを用いることなく、後空調ダクト２１に雨水案内部材２６を設けるだけの簡単な構成で、各電気部品１９を雨水から保護することができる。これにより、油圧ショベル１に対する信頼性を高めることができる。
【００６１】
雨水案内部材２６は、後空調ダクト２１を構成する横向きダクト部２３の周囲から外向きに突出した樋状体として形成している。これにより、樋状体からなる雨水案内部材２６は、後窓１２Ｄから浸入した雨水を、周囲にこぼすことなく樋状体に沿って横向きダクト部２３の周囲で流通させることができる。このときに、雨水案内部材２６は、後窓１２Ｄと隣接している横向きダクト部２３の後側位置となる後板２３Ｂから前側位置となる前板２３Ａまで延設しているから、浸入した雨水を後空調ダクト２１の前側まで効率よく案内することができる。
【００６２】
後空調ダクト２１は、キャブ８の後面部１２に沿って上，下方向に延びた縦向きダクト部２２と、該縦向きダクト部２２の上部から後窓１２Ｄの下側近傍位置を左，右方向に延びた横向きダクト部２３と、該横向きダクト部２３の上板２３Ｅに設けられた吹出口２４，２５とにより構成している。この上で、雨水案内部材２６は、横向きダクト部２３に設けているから、後窓１２Ｄからキャブ８内に浸入する雨水を、横向きダクト部２３から縦向きダクト部２２に案内することができる。これにより、縦向きダクト部２２に案内された雨水は、この縦向きダクト部２２に沿って流下させることができ、キャブ８の外部に排出することができる。
【００６３】
雨水案内部材２６は、後空調ダクト２１の左側の吹出口２４を取囲んだ状態で横向きダクト部２３の周囲に配置しているから、後窓１２Ｄから横向きダクト部２３に向けて浸入する雨水は、縦向きダクト部２２に流下させることができる。これにより、後窓１２Ｄから浸入した雨水を、専用の経路で外部に排出することができる。
【００６４】
さらに、キャブ８の後面部１２には、後窓１２Ｄの下側部位から雨水案内部材２６に向けて雨水を導く導水板１２Ｅを設ける構成としている。これにより、雨水を周囲に漏らすことなく、雨水案内部材２６に導くことができる。
【００６５】
次に、図１０は本発明の第２の実施の形態を示している。本実施の形態の特徴は、空調ダクトと雨水案内部材とを一体成形する構成としたことにある。なお、第２の実施の形態では、前述した第１の実施の形態と同一の構成要素に同一の符号を付し、その説明を省略するものとする。
【００６６】
図１０において、３１は第２の実施の形態による後空調ダクトである。この後空調ダクト３１は、前述した第１の実施の形態による後空調ダクト２１とほぼ同様に、キャブ８の後面部１２に沿って立上るように設けられ、前板３２Ａ、後板（図示せず）、左板３２Ｃ、右板（図示せず）からなる縦向きダクト部３２と、前板３３Ａ、後板（図示せず）、左板３３Ｃ、右板（図示せず）、上板３３Ｅからなる横向きダクト部３３と、例えば３個の吹出口３４，３５とにより構成されている。しかし、第２の実施の形態による後空調ダクト３１は、横向きダクト部３３に後述の雨水案内部材３６が一体成形されている点で、第１の実施の形態による後空調ダクト２１と相違している。ここで、後空調ダクト３１は、例えば樹脂材料を用いた成型加工により所望の中空構造体として形成されている。
【００６７】
３６は後空調ダクト３１の横向きダクト部３３に設けられた第２の実施の形態による雨水案内部材を示している。この雨水案内部材３６は、第１の実施の形態による雨水案内部材２６とほぼ同様に、横向きダクト部３３の周囲から外向きに突出した樋状体として形成され、この樋状体は、後窓１２Ｄと隣接している横向きダクト部３３の後板３３Ｂから前板３３Ａまで延設されている。しかし、第２の実施の形態による雨水案内部材３６は、後空調ダクト３１を樹脂成形するときに一体成形されている点で、第１の実施の形態による雨水案内部材２６と相違している。
【００６８】
ここで、雨水案内部材３６には、内側位置（横向きダクト部３３側位置）の上側のほぼ全長に亘って凹溝状の案内水路３６Ａが形成されている。また、雨水案内部材３６は、横向きダクト部３３の後板に沿って左，右方向に延びた後案内部３６Ｂと、該後案内部３６Ｂの左端から左湾曲板３３Ｃを回り込んで前側に延びた円弧状案内部３６Ｃと、該円弧状案内部３６Ｃから前板３３Ａ上を左，右方向の右側、即ち、縦向きダクト部３２に向けて延びた前案内部３６Ｄとにより構成されている。これにより、雨水案内部材３６は、左側の吹出口３４を取囲んだ状態で横向きダクト部３３の周囲に配置されており、後窓１２Ｄから横向きダクト部３３に向けて浸入する雨水を縦向きダクト部３２に流下させることができる。
【００６９】
このように構成された雨水案内部材３６は、後面部１２の後窓１２Ｄから雨水が流入し、導水板１２Ｅに沿って流れてくると、この雨水を後案内部３６Ｂで案内水路３６Ａに流入させる。これにより、雨水案内部材３６は、後案内部３６Ｂ、円弧状案内部３６Ｃ、前案内部３６Ｄで順次雨水を流通させることにより、雨水を周囲にこぼすことなく、前案内部３６Ｄから横向きダクト部３３の前板３３Ａ上に流出させることができる。
【００７０】
かくして、このように構成された第２の実施の形態においても、前述した第１の実施の形態と同様の作用、効果を得ることができる。特に、第２の実施の形態では、雨水案内部材３６は、後空調ダクト３１を樹脂成形するときに一体成形することができるから、加工工数を増やすことなく、雨水案内部材３６を簡単に設けることができる。また、雨水案内部材３６と後空調ダクト３１との間に隙間が形成されることがないから、案内水路３６Ａを流れる全ての雨水を縦向きダクト部３２側に案内することができる。
【００７１】
なお、第１の実施の形態では、後窓１２Ｄの開閉方式として、前，後方向に重ねて配置された２枚のガラス板１２Ｄ２，１２Ｄ３からなる引き戸方式を採用した場合を例に挙げて説明した。しかし、本発明はこれに限らず、１枚のガラス板の左，右方向の一方または上，下方向の一方を回動可能に取付け、これを回動中心として他方を開閉する方式を採用してもよい。この構成は、第２の実施の形態にも同様に適用することができるものである。
【００７２】
第１の実施の形態では、雨水案内部材２６は、横向きダクト部２３の後板２３Ｂから左湾曲板２３Ｃを回り込んで前板２３Ａ側に延びる構成とした場合を例示している。しかし、本発明はこれに限るものではなく、雨水案内部材は、横向きダクト部２３の後板２３Ｂから右湾曲板２３Ｄを回り込んで前板２３Ａ側に延びる構成としてもよい。この構成は、第２の実施の形態にも同様に適用することができるものである。
【００７３】
さらに、各実施の形態では、旋回式建設機械として、クローラ式の油圧ショベル１を例に挙げて説明した。しかし、本発明はこれに限るものではなく、ホイール式の油圧ショベルに適用してもよい。それ以外にも、油圧クレーン等の他の旋回式建設機械にも広く適用することができる。
【符号の説明】
【００７４】
１  油圧ショベル（旋回式建設機械）
２  下部走行体
３  上部旋回体
４  作業装置
５  旋回フレーム
８  キャブ
９  フロア部材
１０  キャブボックス
１１  前面部
１２  後面部
１２Ａ  下縦板
１２Ｂ  横板
１２Ｃ  上縦板
１２Ｄ  後窓
１２Ｄ１  窓枠
１２Ｄ２，１２Ｄ３  ガラス板
１２Ｅ  導水板
１３  左面部
１４  右面部
１５  天面部
１６  運転席
１９  電気部品
２０  室内機
２１，３１  後空調ダクト
２２，３２  縦向きダクト部
２２Ａ，２３Ａ，３２Ａ，３３Ａ  前板
２２Ｂ，２３Ｂ  後板
２２Ｃ，３２Ｃ  左板
２２Ｄ  右板
２３，３３  横向きダクト部
２３Ｃ，３３Ｃ  左湾曲板
２３Ｄ  右湾曲板
２３Ｅ，３３Ｅ  上板（上面）
２４，２５，３４，３５  吹出口
２６，３６  雨水案内部材
２６Ａ，３６Ａ  案内水路
２６Ｂ，３６Ｂ  後案内部
２６Ｃ，３６Ｃ  円弧状案内部
２６Ｄ，３６Ｄ  前案内部
【図１】
0005914425.tif 000002
【図２】
0005914425.tif 000003
【図３】
0005914425.tif 000004
【図４】
0005914425.tif 000005
【図５】
0005914425.tif 000006
【図６】
0005914425.tif 000007
【図７】
0005914425.tif 000008
【図８】
0005914425.tif 000009
【図９】
0005914425.tif 000010
【図１０】
0005914425.tif 000011